(57)【要約】計量された容積の流体生成物を分配するディスペンサ（１）は、流体生成物を保存する保存室（９）と、流体生成物をディスペンサから分配可能にする出口オリフィス（２１）と、計量容積の流体生成物を保存室から出口オリフィスを通って使用時に分配するような構成である分配機構とを有する。分配機構は、出口オリフィスを通して放出するため、計量容積の流体生成物を使用時に提供するような構成である計量室（１９）を有する。計量室は、計量室が、計量容積より大きい第１容積を有し、計量容積と余分な容積とで構成された流体生成物の余分な容積を、保存室から計量室へと使用時に移送可能であるよう、保存室と流体連絡する第１容積状態と、計量室が、第１容積より小さく、計量容積以上である第２容積を有し、計量容積の流体生成物が、出口オリフィスを通して分配するために準備が整った状態で使用時に計量室に含まれるよう、保存室から隔離されている第２容積状態との間で動作可能である。分配機構はさらに、使用時に、計量室が第１容積状態から第２容積状態へと動作するにつれ、流体生成物の余分な容積を計量室から放出するような構成である放出構成（１１、２０）を有する。
2005534438.tif 000002
【特許請求の範囲】
【請求項１】
計量された容積の流体生成物を分配するディスペンサであって、
（ａ）流体生成物を保存する保存室と、
（ｂ）流体生成物をディスペンサから分配することができる出口オリフィスと、
（ｃ）計量容積の流体生成物を保存室から出口オリフィスを通して使用時に分配するような構成である分配機構と、を有し、
該分配機構は、
（i）出口オリフィスを通して放出するために、計量容積の流体生成物を使用時に提供するような構成である計量室を有し、
該計量室が、計量容積より大きい第１容積を有し、計量容積と余分な容積とで構成された過剰流体生成物を、使用時に保存室から計量室へと移送可能であるよう、保存室と流体連絡した第１容積状態と、
計量室が、第１容積より小さく、計量容積以上である第２容積を有し、計量容積の流体生成物が、出口オリフィスを通して分配するための準備が整った状態で使用時に計量室に含まれるように、計量室が保存室から隔離されている第２容積状態と、
の間で計量室が動作可能であり、さらに、
（ii）使用時に、計量室が第１容積状態から第２容積状態へと動作するにつれ、流体生成物の余分な容積を計量室から放出するような構成である放出構成を有するディスペンサ。
【請求項２】
第２容積が計量容積である、請求項１に記載のディスペンサ。
【請求項３】
計量室が境界壁構造を有し、計量室と保存室が境界壁構造のポート構造を通して連絡し、ポート構造は、計量室が前記第１容積状態および第２容積状態にある場合に、それぞれに対して、選択的に開閉される、請求項１または２に記載のディスペンサ。
【請求項４】
境界壁構造が第１および第２壁部材を有し、第１および第２壁部材がそれぞれに第１位置と第２位置との間で相対的に動作することにより、計量室がその第１容積状態と第２容積状態との間で動作可能である、請求項３に記載のディスペンサ。
【請求項５】
ポート構造が第２壁部材に形成され、第１壁部材は、第１位置ではポート構造から隔置され、第２位置ではポート構造を閉鎖する、請求項４に記載のディスペンサ。
【請求項６】
計量室がさらに第２容積状態から第３容積状態へと動作可能であり、第３容積状態は第２容積より小さい容積を有し、計量室が第２容積状態から第３容積状態へと動作すると、計量容積が出口オリフィスを通って分配される請求項１から５のいずれか１項に記載のディスペンサ。
【請求項７】
第２容積状態から第３容積状態へと動作中に、ポート構造が閉鎖状態に保持される、請求項３に従属する場合における請求項６に記載のディスペンサ。
【請求項８】
計量室が異なる容積状態の間で可逆的に動作可能であり、それによってディスペンサが複数の計量した容積の流体生成物を分配することができる、請求項１から７のいずれか１項に記載のディスペンサ。
【請求項９】
第１および第２壁部材が第２位置と第３位置との間で相対的に動作することにより、計量室が第２容積状態と第３容積状態との間で動作可能である、請求項４に従属する場合における請求項６から８のいずれか１項に記載のディスペンサ。
【請求項１０】
第１壁部材は、第２位置と第３位置との間においてポート構造が閉鎖状態に維持されるような構成である、請求項９に記載のディスペンサ。
【請求項１１】
第１および第２壁部材がそれぞれディスペンサの可動および静止壁部材である、請求項４、請求項５、または、請求項４または５に従属する場合における請求項６から１０のいずれか１項に記載のディスペンサ。
【請求項１２】
計量室が第１容積状態と第２容積状態との間にある場合に、出口オリフィスを閉鎖するよう作用する弁機構をさらに有する、請求項１から１１のいずれか１項に記載のディスペンサ。
【請求項１３】
弁機構がさらに、計量室が第２容積状態から第３容積状態へと動作した場合に出口オリフィスを開放するよう作用する、請求項６に従属する場合における請求項１２に記載のディスペンサ。
【請求項１４】
弁機構は、計量室が第３容積状態に到達すると、出口オリフィスを閉鎖する閉位置へと復帰するような機構である、請求項１３に記載のディスペンサ。
【請求項１５】
弁機構が逆止め弁である、請求項１２から１４のいずれか１項に記載のディスペンサ。
【請求項１６】
弁機構が、出口オリフィスに重なり、計量室の容積状態に応答して、出口オリフィス上で、選択的に開位置および閉位置をとるフラップ構造を有する、請求項１２から１５のいずれか１項に記載のディスペンサ。
【請求項１７】
出口オリフィスが噴霧ヘッドである、請求項１から１６のいずれか１項に記載のディスペンサ。
【請求項１８】
放出構成が、計量室内の余分な容積の流体生成物を保存室へと使用時に放出するような構成である、請求項１から１７のいずれか１項に記載のディスペンサ。
【請求項１９】
放出構成が、ポート構造を通して余分な容積の流体生成物を保存室へと使用時に放出するような構成である、請求項３に従属する場合における請求項１８に記載のディスペンサ。
【請求項２０】
計量室の第２容積状態から第１容積状態への動作が、保存室内に保持された流体生成物を計量室へと移送するような動作である、請求項１から１９のいずれか１項に記載のディスペンサ。
【請求項２１】
計量室が第２容積状態から第１容積状態へ向かって動作するのに応答して、保存室が、拡張した容積状態から収縮した容積状態へと動作する、請求項１から２０のいずれか１項に記載のディスペンサ。
【請求項２２】
計量室が第１容積状態から第２容積状態へ向かって動作するのに応答して、保存室が拡張した容積状態へと逆方向に動作可能である、請求項２１に記載のディスペンサ。
【請求項２３】
計量室が第１容積状態と第２容積状態との間で動作することにより生じる圧力によって、保存室が拡張した容積状態と収縮した容積状態との間で動作する、請求項２１または２２に記載のディスペンサ。
【請求項２４】
弁機構が、保存室を収縮状態から拡張状態へと動作させるのに必要な圧力より大きい開放圧力閾値を有し、それによって計量室が第１容積状態から第２容積状態へと動作する間、弁機構が閉位置にとどまる、請求項１２から１６のいずれか１項に従属する場合における請求項２３に記載のディスペンサ。
【請求項２５】
計量した容積を分配するたびに、保存室の拡張容積状態の容積が減少する、請求項２１から２４のいずれか１項に記載のディスペンサ。
【請求項２６】
保存室が、保存室をそれぞれ拡張容積状態および収縮容積状態にする第１位置と第２位置との間で、相互に対して動作する第１および第２壁部材を有する境界壁構造を有する、請求項２１から２５のいずれか１項に記載のディスペンサ。
【請求項２７】
ポート構造が保存室の第１壁部材に配置され、保存室の第２壁部材が第１位置ではポート構造から隔置される、請求項３に従属する場合における請求項２６に記載のディスペンサ。
【請求項２８】
計量した容積を分配するごとに、第１位置にある場合のポートから第２壁部材までの間隔が減少する、請求項２７に記載のディスペンサ。
【請求項２９】
分配機構が手で操作可能な状態で手持ち式である、請求項１から２８のいずれか１項に記載のディスペンサ。
【請求項３０】
計量室の第１壁部材が、起動構成に動作可能な状態で接続し、これが第１動作モードでは第１壁部材を第１位置へと動作させ、第２動作モードでは第１壁部材を第３位置へと動作させる、請求項９または請求項１０、または、請求項９または１０に従属する場合における請求項１１から２９のいずれか１項に記載のディスペンサ。
【請求項３１】
計量室の第１壁部材が、起動構成のプランジャ構造の頭部を形成し、第２壁部材に対して頭部を様々な位置の間で動作させるため、ディスペンサ内で往復運動するよう装着される、請求項３０に記載のディスペンサ。
【請求項３２】
計量室の第１壁部材が、第２壁部材上において封止状態で滑動自在な運動をするよう装着された計量室の端壁を形成する、請求項４、または、請求項４に従属する場合における請求項５から３１のいずれか１項に記載のディスペンサ。
【請求項３３】
保存室の第２壁部材が、第１壁部材上において封止状態で滑動自在な運動をするよう装着された保存室の端壁を形成する、請求項２６、または、請求項２６に従属する場合における請求項２７から３２のいずれか１項に記載のディスペンサ。
【請求項３４】
起動構成が付勢部材を有し、該付勢部材は第２動作モードで第３位置まで計量室の第１壁部材を付勢する請求項３０または３１に記載のディスペンサ。
【請求項３５】
保存室に含まれる流体生成物を有する、請求項１から３４のいずれか１項に記載のディスペンサ。
【請求項３６】
流体生成物が、液体、粘性生成物、粉末および気体で構成されたグループから選択される、請求項３５に記載のディスペンサ。
【請求項３７】
流体生成物が薬剤である、請求項３５または３６に記載のディスペンサ。
【請求項３８】
出口オリフィスが、使用時に外部環境へと分配される計量容積の流体生成物が通るユニットの出口オリフィスである、請求項１から３７のいずれか１項に記載のディスペンサを有するディスペンサ・ユニット。
【請求項３９】
出口オリフィスが、使用時にユニットに分配される計量された容積の流体生成物が通るユニットの内部オリフィスである、請求項１から３７のいずれか１項に記載のディスペンサを有する装置ユニット。
【請求項４０】
ユニットの周囲の外部環境に対して開放した出口オリフィスと、内部オリフィスを通して分配された流体生成物を、出口オリフィスを通して外部環境へと搬送する手段とを、さらに有する、請求項３９に記載の装置ユニット。
【請求項４１】
搬送手段が、流体生成物の状態を変化させるような手段である、請求項４０に記載の装置ユニット。
【請求項４２】
搬送手段が、ディスペンサから分配された液体をエアロゾル化する振動要素を有する、請求項４０または４１に記載の装置ユニット。
【請求項４３】
振動要素が圧電要素である、請求項４２に記載の装置ユニット。
【請求項４４】
ほぼ添付図面に関して明細書で説明され、図示された通りのディスペンサ。
【発明の詳細な説明】
【技術分野】
【０００１】
本発明は、計量した容積の流体生成物を分配するディスペンサに関し、特に、しかし排他的ではなく計量した容積の流体薬剤、例えば液体、気体、粉末または局所的（topical）調合物（クリーム、ペーストなど）を有する薬剤を分配するディスペンサに関するがこれに限定されるものではない。本発明は、練り歯磨き、サン・クリーム・ローションなどの場合のように消費者の健康管理の分野にも用途を有する。
【背景技術】
【０００２】
（関連出願）
本出願は、２００２年８月６日および２００２年１２月１８日にそれぞれ出願された英国特許出願第０２１８２５１．７号および第０２２９４７２．６号に対する優先権を主張し、その全内容は参照により本明細書に組み込まれる。
【０００３】
計量機構を有する流体生成物ディスペンサが当技術分野で知られている。一例として、医療分野では、計量投与量吸入器（ＭＤＩ）の使用が十分に確立されている。ＭＤＩ中では、弁機構によって閉鎖された開放端を有するキャニスタに流体生成物が加圧状態で含まれる。弁機構は、固定された容積計量室を画定する弁体を有し、弁棒は室を通して充填位置と放出位置の間にて封止状態で滑動可能である。充填位置では、弁棒は計量室をキャニスタの内容物と流体連絡させるが、計量室を外部環境から隔離する。逆に、弁棒が放出位置へと移動すると、計量室は外部環境と流体連絡するが、キャニスタの内容物からは隔離される。この方法で、計量容積の流体生成物を順次、計量室へと移送し、次に患者が吸入するために外部環境へと放出する。
【発明の開示】
【発明が解決しようとする課題】
【０００４】
本発明は、新規の分配機構を有する流体生成物のディスペンサを提供する。
【課題を解決するための手段】
【０００５】
本発明によると、計量された容積（計量容積）の流体生成物を分配するために、流体生成物を保存する保存室と、流体生成物をディスペンサから分配することができる出口オリフィスと、計量容積の流体生成物を保存室から出口オリフィスを通して使用時に分配するような構成である分配機構とを有するディスペンサであって、分配機構が、
（i）出口オリフィスを通して放出するために、計量容積の流体生成物を使用時に提供するような構成である計量室を有し、計量室は、
計量室が、計量容積より大きい第１容積を有し、使用時に計量容積と余分な容積とで構成された過剰流体生成物を、保存室から計量室へと移送可能であるよう、保存室と流体連絡する第１容積状態と、
計量室が、第１容積よる小さく、計量容積以上である第２容積を有し、計量容積の流体生成物が、出口オリフィスを通して分配するために準備が整った状態で使用時に計量室に含まれるよう、計量室が保存室から隔離されている第２容積状態と
の間で計量室が動作可能であり、さらに、
（ii）使用時に、計量室が第１容積状態から第２容積状態へと動作するにつれ、流体生成物の余分な容積を計量室から放出するような構成である放出構成を有するディスペンサが提供される。
【０００６】
本発明の好ましい特徴を、本明細書に添付の従属請求項、さらに以下で説明する例示的実施形態にて述べる。
【０００７】
図面の図は、本発明によるディスペンサの概略的な部分断面図である。
【発明を実施するための最良の形態】
【０００８】
図では、本発明による手で操作可能な手持ち式のディスペンサ１を図示する。ディスペンサ１は、例えば鼻腔内送出装置のような薬剤ディスペンサとして使用することができる。
【０００９】
ディスペンサ１はハウジング２を有し、これは封止状態で滑動可能な端壁７が入った管状本体５を備えた容器部材３を収容する。管状本体５および端壁７の内表面は保存室９を画定し、この中に分配すべき流体生成物１０、例えば薬剤が含まれる。管状本体５は、滑動端壁７を受ける端部とは反対側の端部にポート１１を有する。
【００１０】
ディスペンサ１はさらに、管状本体１５と、管状本体１５内において封止状態で滑動可能な端壁１７とを有する計量部材１３を備える。例えば図２から分かるように、計量室１９が、管状本体１５と端壁１７との内表面間に画定される。以下でさらに詳細に説明するように、計量室１９は、ディスペンサ１から放出するために、計量容積の流体生成物１０を提供するよう動作する。
【００１１】
計量部材１３の管状本体１５の側部には、容器部材３のポート１１と位置を併せたポート２０を設け、それによって保存室９と計量室１９を相互に流体連絡させ、これで流体生成物１０を保存室９から計量室１９へと、その後にディスペンサ１から放出するために移送することができる。
【００１２】
計量室１９は噴霧ヘッド２３の出口オリフィス２１と連絡し、これはこの実施形態では、使用者の鼻孔に挿入するよう成形し、サイズ決定してある。計量部材１３の管状本体１５は延長部２５を含み、これを通して細い通路２７が延在して、出口オリフィス２１を計量室１９と接続する。通路２７は、出口オリフィス２１内に環状出口ポート３１を形成するよう、分岐端部２９を有する。噴霧ヘッド２３はさらに、延長部２５の周囲で管状本体１５に装着されたスカート部材３３を含み、これは環状出口ポート３１を通して放出される噴霧流を集束するよう作用する。
【００１３】
計量部材１３の端壁１７は、ディスペンサ１の手で操作可能な起動機構のばね装填プランジャ部材３５の頭部を形成する。プランジャ部材３５はさらにアーム３７を有し、このアームにばね４４が作用して、図１で示す静止または復帰位置まで、プランジャ部材３５を付勢する。アーム３７は、起動機構のトリガ部材３９と作用可能な状態で接続し、トリガ部材３９は、ディスペンサ１の使用者が手で把持するか、指または親指で押下して起動機構を動作させるために、グリップまたはボタン４０を有する。トリガ部材３９は、プランジャ部材３５の滑動運動の方向を横断する方向でディスペンサ１が滑動運動するよう装着される。この接続で、ディスペンサ１は、トリガ部材３９の滑動運動を案内するガイド３６を有する。さらに、トリガ部材３９は、ばね３８でばね装填され、図１で示す延長位置まで、これはトリガ部材３９を付勢する。
【００１４】
図２から理解されるように、トリガ部材３９はカム表面４１を有し、これはトリガ部材３９が内側（矢印Ａ）に動作すると、プランジャ部材３５を図示のように装填位置へと後方（矢印Ｂ）に変位させるよう、プランジャ部材３５のアーム３７に設けたカム従動子４２に作用する。これは、プランジャ部材３５の後方への運動によって計量室１９と保存室９との間に圧力差が生じ、それにより容器部材３の端壁７が内側（矢印Ｃ）へと変位して、流体生成物１０を保存室９から計量室１９へとその充填のために押し込まれる、という意味で、ディスペンサ１の充填モードである。
【００１５】
逆止め弁４３を、計量部材１３の管状本体１５の延長部２５の周囲で出口オリフィス２１に装着する。逆止め弁４３は、スリーブ部材の形態である。プランジャ部材３５が図１で示した静止位置から後退するにつれて計量室１９内に生成される負圧により、弁４３は、環状出口ポート３１を封止する閉位置まで付勢される。
【００１６】
図３から図５を参照すると、トリガ部材３９を内側に動作させ、プランジャ部材３５を最後方の装填位置まで後退させて、ばね３８、４４を圧縮することにより、ディスペンサ１を装填すると、ディスペンサ１は、トリガ部材３９に対する内側の力を解放することにより、起動することができる。これにより、ばね３８にかかる荷重が解放され、トリガ部材３９を外方向（矢印Ｄ）へと駆動できるようにし、ここでプランジャ部材３５は、トリガ部材３９による捕捉から解放され、ばね部材４４によって前方向（矢印Ｅ）へと駆動される。これはディスペンサ１の放出モードである。
【００１７】
放出モードの初期ステージまたは段階を、図３に示す。この初期ステージでは、プランジャ部材３５の前方への動作により、充填モードで計量室１９内に受けた余分な流体生成物１０が、連絡ポート１１、２０を通して保存室９に押し戻される。これに関して、余分な流体生成物の放出分は、保存室９内で余分な流体生成物を受け取るにつれ、その室内の圧力増加に応答して容器部材３の端壁７が外方向に滑動運動（矢印Ｆ）することにより収容される。
【００１８】
図４から理解されるように、プランジャ部材３５が前方に滑動すると、これは中間位置に到達し、ここでプランジャ頭部１７はポート２０を閉鎖し、それによって計量室１９を保存室９から封止する。容器部材３の端壁７は、弁４３より低い圧力で外側へと動作し、それによってプランジャ部材３５が最後方の装填位置から中間位置へと動作する間、余分な流体生成物が出口オリフィス２１から放出されるのではなく、再び保存室９へと戻されることを保証するような構成である。
【００１９】
図４で示したディスペンサ１の放出モードの中間位置において、計量室１９は、流体生成物１０で充填された所定の容積を画定する。これは、ディスペンサ１が分配すべき流体生成物の「計量容積」である。
【００２０】
図５で示すように、プランジャ部材３５が前方に動作すると、弁４３が強制的に開放され、計量容積の流体生成物が出口オリフィス２１の環状出口ポート３１から放出される。通路２７および環状出口ポート３１の寸法が小さいので、流体を分配すると、放出される流体生成物は噴霧流の形態になる。
【００２１】
ばね部材４４がプランジャ部材３５をその最前方の静止位置へと復帰させると、弁４３を開放させた圧力パルスが減退し、それによって弁４３の材料に内在する付勢力により、これが環状出口ポート３１上の閉鎖位置へと戻る。
【００２２】
図１および図５で示すように、プランジャ頭部１７は、プランジャ部材３５が静止位置にある場合に、出口オリフィス２１に対して通路２７を封止状態で閉鎖する前面５１を有する。さらにこの実施形態では、前面５１は、通路２７が開放している計量室１９の前区間５３に対して相補的形状である。つまり、前面５１は前区間５３と封止状態で係合する。
【００２３】
図４から見られるように、プランジャ頭部１７は厚さｔを有し、これは中間位置から最前方の位置へと動作するにつれ、ポート２０を閉状態に維持するような厚さである。この方法で、保存室９内の流体生成物１０を、プランジャ部材３５の後方に移送することができず、流体生成物１０を計量室１９から保存室９へと引き戻すこともできない。
【００２４】
したがって、保存室９がディスペンサ１の周囲の外部環境から封止されているので、封止されたシステムが達成されることが理解される。
【００２５】
計量した容積が分配されると、ディスペンサ１は、別の計量容積を投与する必要が生じるような時間まで、図１で示した休止モードにとどまる。
【００２６】
計量室１９を再充填するために、トリガ部材３９は、プランジャ部材３５を後方にカムで動作させるよう、プランジャ部材３５と再係合する。プランジャ部材３５が後方へ移動する際に中間位置を通過した後、ポート２０が開放し、それによって計量したさらなる容積の流体生成物を分配する準備に、前述した方法で流体生成物１０を保存室９から計量室１９へと移送することができる。各起動サイクルの後に、保存室９の容積は、流体生成物の容積の減少に比例して、つまり計量した容積だけ減少する。これは、放出モードの初期相中に、容器部材３の端壁７が、充填モードの開始時よりポート１１に近い位置へと押し戻されているからである。
【００２７】
ディスペンサ１は、封止されたシステムから高精度な投薬を提供し、これは流体生成物１０が外部環境から汚染されることを防止する。例えば、逆止め弁４３は空気の進入を防止する。さらに、保存室９は、静止モード、充填モードおよび放出モード中に出口オリフィス２１から最初は弁４３によって、後にはプランジャ頭部１７によって隔離される。したがって、流体生成物１０は防腐剤をなくすことができ、これは流体生成物が薬剤である場合に、特に有利である。
【００２８】
ディスペンサ１はさらに、浸漬チューブを必要とせずに分配し、逆に流れない。
【００２９】
本発明のディスペンサが薬剤ディスペンサ、例えば鼻孔内薬剤ディスペンサである場合、薬剤の投与は、軽度、中程度または重篤な急性または慢性症状の治療、または予防的治療のために指示される。
【００３０】
したがって適切な薬剤は、例えばコデイン、ジヒドロモルヒネ、エルゴタミン、フェンタニールまたはモルヒネなどの鎮痛薬、ジルチアゼムなどの狭心症製剤、クロモグリケート（ナトリウム塩など）、ケトチフェンまたはネドクロミル（ナトリウム塩など）などの抗アレルギー薬、セファロスポリン、ペニシリン、ストレプトマイシン、サルファ剤、テトラサイクリンおよびペンタミジンなどの抗感染薬、メタピリレンなどの抗ヒスタミン薬、ベクロメタゾン（ジプロピオン酸エステルなど）、フルチカゾン（プロピオン酸エステルなど）、フルニソリド、ブデソニド、ロフレポニド、モメタゾン（フロン酸エステルなど）、シクレソニド、トリアムシノロン（アセトニドなど）、６α，９α−ジフルオロ−１１β−ヒドロキシ−１６α−メチル−３−オキソ−１７α−プロピオニルオキシ−アンドロスタ−１，４−ジエン−１７β−カルボチオ酸Ｓ−（２−オキソ‐テトラヒドロ−フラン−３−イル）エステルまたは６α，９α−ジフルオロ−１７α−［（２−フラニルカルボニル）オキシ］−１１β−ヒドロキシ−１６α−メチル−３−オキソ−アンドロスタ−１，４−ジエン−１７β−カルボチオ酸Ｓ−フルオロメチルエステルなどの抗炎症薬、ノスカピンなどの鎮咳薬、アルブテロール（遊離塩基または硫酸塩など）、サルメテロール（キシナホ酸塩など）、エフェドリン、アドレナリン、フェノテロール（臭化水素酸塩など）、ホルモテロール（フマル酸塩など）、イソプレナリン、メタプロテレノール、フェニレフリン、フェニルプロパノールアミン、ピルブテロール（酢酸塩など）、レプロテロール（塩酸塩など）、リミテロール、テルブタリン（硫酸塩など）、イソエタリン、ツロブテロールまたは４−ヒドロキシ−７−［２−［［２−［［３−（２−フェニルエトキシ）プロピル］スルフォニル］エチル］アミノ］エチル−２（３Ｈ）−ベンゾチアゾロンなどの気管支拡張薬、シロミラストまたはロフルミラストなどのＰＤＥ４抑制薬、モンテルカスト、プランルカストおよびザフィルカストなどのロイコトリエン拮抗薬、（２Ｒ，３Ｒ，４Ｓ，５Ｒ）−２−［６−アミノ−２−（１Ｓ−ヒドロキシメチル−２−フェニル−エチルアミノ）−プリン−９−イル］−５−（２−エチル−２Ｈ−テトラゾル−５−イル）−テトラヒドロ−フラン−３，４−ジオール（マレイン酸塩など）］などのアデノシン２ａ作用薬、（２Ｓ）−３−［４−（｛［４−（アミノカルボニル）−１−ピペリジニル］カルボニル｝オキシ）フェニル］−２−［（（２Ｓ）−４−メチル−２−｛［２−（２−メチルフェノキシ）アセチル］アミノ｝ペンタノイル）アミノ］プロパン酸（遊離酸またはカリウム塩など）］などのα４インテグリン抑制薬、アミロライドなどの利尿薬、イプラトロピウム（臭化物など）、チオトロピウム、アトロピンまたはオキシトロピウムなどの抗コリン作用薬、コルチゾン、ヒドロコルチゾンまたはブレドニゾロンなどのホルモン剤、アミノフィリン、コリンテオフィリネート、リシンテオフィリネートまたはテオフィリンなどのキサンチン、インスリンまたはグルカゴンなどの治療用タンパク質およびペプチドから選択することからできる。適宜、薬剤の滑動および／または安定性を最適にしてもよく、推進薬へ���薬剤の可溶性を最低に抑えるために、塩（アルカリ金属またはアミン塩または酸添加塩など）またはエステル（例えば低級アルキルエステル）の形態である薬剤を使用してよいことが、当業者には明白である。
【００３１】
薬剤は、炎症性疾患または喘息や鼻炎などの疾病の治療用抗炎症性化合物であることが好ましい。
【００３２】
薬剤は抗炎症性特性を有するグルココルチコイド化合物でよい。１つの適切なグルココルチコイド化合物は、６α，９α−ジフルオロ−１７α−（１−（オキソプロポキシ）−１１β−ヒドロキシ−１６α−メチル−３−オキソ−アンドロスタ−１，４−ジエン−１７β−カルボチオ酸Ｓ−フルオロメチルエステル（プロピオン酸フルチカゾン）の化学名を有する。別の適切なグルココルチコイド化合物は、６α，９α−ジフルオロ−１７α−［（２−フラニルカルボニル）オキシ］−１１β−ヒドロキシ−１６α−メチル−３−イル−アンドロスタ−１，４−ジエン−１７β−カルボチオ酸Ｓ−フルオロメチルエステルの化学名を有する。さらなる適切なグルココルチコイド化合物は、６α，９α−ジフルオロ−１１β−ヒドロキシ−１６α−メチル−１７α−［（４−メチル−１，３−チアゾール−５−カルボニル）オキシ］−３−オキソ−アンドロスタ−１，４−ジエン−１７β−カルボチオ酸Ｓ−フルオロメチルエステルの化学名を有する。
【００３３】
他の適切な抗炎症性化合物は、ＮＳＡＩＤ、例えばＰＤＥ４抑制薬、ロイコトリエン拮抗薬、ｉＮＯＳ抑制薬、トリプテーズおよびエラスターゼ抑制薬、ベータ−２インテグリン抑制薬およびアデノシン２ａ抑制薬を含む。
【００３４】
薬剤は、適切な流体処方、特に溶液（例えば水性）製剤または懸濁液製剤として処方され、任意選択で薬学的に許容可能な他の添加化合物を含む。処方は、保存剤を含んでよいが、ディスペンサの封止されたシステムのため、その必要がなくなる。
【００３５】
薬剤処方は、２種類以上の薬剤を組み込んでよい。
【００３６】
本明細書のディスペンサは、季節性および通年性鼻炎などの鼻炎のような鼻の通路の炎症性および／またはアレルギー状態、さらに喘息、慢性閉塞性肺疾患および皮膚炎のような他の局所的炎症性状態の治療のために流体薬剤処方を分配するのに適切である。
【００３７】
適切な投薬療法は、患者が鼻腔を洗浄した後、鼻を通してゆっくり吸入することである。吸入中は、他方の鼻孔を手で圧迫しながら、一方の鼻孔に製剤を適用する。次に、他方の鼻孔でこの手順を反復する。通常、鼻孔ごとに１回または２回の吸入法を上記の手順で１日に最大で３回、理想的には１日１回施す。各投薬は、例えば５μｇ、５０μｇ、１００μｇ、２００μｇまたは２５０μｇの活性薬剤を送出する。正確な投与量は、当業者に知られているか、容易に確認可能である。
【００３８】
本発明は、図面の図に関して本明細書で説明した実施形態に制限されず、請求の範囲の範囲内で他の外観を採用するよう変更してよいことが、当業者には理解される。一例として、本発明のディスペンサは、手持ち式でも、手で操作可能でなくてもよい。さらにディスペンサは、前記で概略した用に薬剤および非薬剤の任意の数の様々な流体生成物を送出するのに使用することができる。また、ディスペンサは、ディスペンサが計量した容積の流体生成物を装置ユニットの別の内部部品へと送出するよう、装置ユニットの内部部品を形成することができる。例えば、ユニットはディスペンサを含むディスペンサ・ユニットでよく、計量した容積をディスペンサ・ユニットの搬送手段へと送出し、この搬送手段がユニットから周囲の環境へと放出するために、流体生成物をユニットの出口オリフィスへと搬送する。搬送手段は、流体の状態を変更するような手段でよい。例えば搬送手段が、メッシュなどの振動要素を有してよく、これが計量した容積の液体をエアロゾルまたはミストに変換し、次いで、出口オリフィスの外部に向けられる。振動要素は、例えば圧電素子またはメッシュでよい。
【図面の簡単な説明】
【００３９】
【図１】休止モードにあるディスペンサを示した図。
【図２】使用の充填モードにあるディスペンサを示した図。
【図３】使用のある分配モードにあるディスペンサを示した図。
【図４】使用のある分配モードにあるディスペンサを示した図。
【図５】使用のある分配モードにあるディスペンサを示した図。
【符号の説明】
【００４０】
１：ディスペンサ、２：ハウジング、３：容器部材、５：管状本体（第一壁部材）、７：端壁（第二壁部材）、９：保存室、１０：流体生成物、１１：ポート（連絡ポート）、１３：計量部材、１５：管状本体（第二壁部材）、１７：端壁（第一壁部材）、１９：計量室、２０：ポート、２１：出口オリフィス、２３：噴霧ヘッド、２５：延長部、２７：通路、２９：分岐端部、３１：環状出口ポート、３３：スカート部材、３５：プランジャ部材、３６：ガイド、３７：アーム、３８：ばね（付勢部材）、３９：トリガ部材、４０：ボタン、４１：カム表面、４２：カム従動子、４３：弁（逆止め弁）、４４：ばね（付勢部材）、５１：前面、５３：前区間
【図１】
2005534438.tif 000003
【図２】
2005534438.tif 000004
【図３】
2005534438.tif 000005
【図４】
2005534438.tif 000006
【図５】
2005534438.tif 000007
【国際調査報告】
2005534438.tif 000008
2005534438.tif 000009